(57)【要約】  本発明は、無線端末が１つの基地局からもう１つの基地局へハンドオーバを実行しながら無線システム内でチャネルバーストを受信するための方法および装置を提供する。該無線端末は、現在サービス中の基地局に係る信号品質の測定に基づいてハンドオーバ基準が満たされた場合に、ハンドオーバが必要であることを決定する。そのような場合、該無線端末は、候補セルについての測定を実行し、その測定は候補リスト中に維持される。該無線端末は、当該信号品質が現在サービス中の基地局に比べて十分優れている場合に（新規にサービスする基地局に対応する）候補セルの１つを選択することになる。ハンドオーバが必要であることが決定された後、新規にサービスする基地局に対するハンドオーバが完了する前に、該無線端末は現在サービス中の基地局から最終チャネルバーストを受信する。
2007529939.tif 000002
【特許請求の範囲】
【請求項１】
無線システムにおいて第１のセルからもう１つのセルへのハンドオーバを実行する無線端末のための方法において、
（Ａ）  無線チャネル上で第１の基地局から第１のチャネルバーストを受信する段階であって、該第１の基地局が該第１のセルにサービスし、該第１のチャネルバーストがデータサービスをサポートする段階と、
（Ｂ）  前記第１のセルについての信号品質がハンドオーバ基準を満たすか否かを決定する段階と、
（Ｃ）  （Ｂ）に応答して、候補セルのリストに係る測定を獲得する段階であって、該リストが少なくとも１つの候補セルを含み、各測定は、対応する候補セルによって提供される対応する信号品質を評価する段階と、
（Ｄ）  選択された信号品質が許容可能である場合、選択された候補セルに対する前記ハンドオーバの実行を決定する段階であって、該選択された候補セルが該リストのメンバーであり、該選択された信号品質が該選択された候補セルに対応する段階と、
（Ｅ）  （Ｄ）を実行した後、前記第１の基地局から最終チャネルバーストを受信する段階と、
（Ｆ）  （Ｅ）に応答して、前記選択された候補セルに対する前記ハンドオーバを実行し、選択された候補基地局から新規チャネルバーストを受信する段階であって、該選択された候補基地局が該選択された候補セルにサービスする段階と、
からなる方法。
【請求項２】
（Ｃ）は、
（ｉ）  前記無線端末が、前記第１の基地局から前記最終チャネルバーストを受信する前に前記測定を獲得する段階を完了できなかった場合に、該測定を獲得する段階を中断する段階と、
（ii）  前記第１の基地局からもう１つのチャネルバーストを受信する段階と、
（iii ）  （ii）に応答して、前記測定を獲得する段階を再開する段階と、
からなる請求項１に記載の方法。
【請求項３】
サービス中の信号品質が、前記第１のチャネルバーストから決定される請求項１に記載の方法。
【請求項４】
サービス中の信号品質が、受信信号強度指標（ＲＳＳＩ）値、ビット誤り率（ＢＥＲ）、パケット誤り率（ＰＥＲ）およびフレーム誤り率（ＦＥＲ）からなる指標群の中から選択される請求項１に記載の方法。
【請求項５】
（Ｄ）は、
（ｉ）  前記選択された信号品質をヒステリシス値によって調整する段階、
からなる請求項１に記載の方法。
【請求項６】
（Ｇ）  候補セルの前記リストを決定する段階、
をさらに含んでなる請求項１に記載の方法。
【請求項７】
（Ｇ）は、
（ｉ）  前記第１の基地局から前記ハンドオーバ情報を受信する段階であって、該ハンドオーバ情報が、候補セルの前記リストを示す候補情報を含む段階、
を含んでなる請求項６に記載の方法。
【請求項８】
（Ｇ）  前記選択された候補セルについての位相シフトオフセット決定する段階、
をさらに含んでなる請求項１に記載の方法。
【請求項９】
（Ｇ）は、
（ｉ）  前記第１の基地局から前記ハンドオーバ情報を受信する段階であって、該ハンドオーバ情報が、前記選択された候補セルについての前記位相シフトオフセットを含む段階、
を含んでなる請求項８に記載の方法。
【請求項１０】
（Ｈ）  （Ｅ）に応答して、（Ｆ）を実行するまで前記無線チャネル上での受信を中断する段階、
をさらに含んでなる請求項８に記載の方法。
【請求項１１】
（Ｈ）は、
（ｉ）  前記無線端末の電力消費を削減する段階、
を含んでなる請求項１に記載の方法．
【請求項１２】
（Ｇ）  候補信号品質が許容不能である場合、候補セルの前記リストから関連する候補を除去する段階、
をさらに含んでなる請求項１に記載の方法。
【請求項１３】
（Ｆ）が、
（ｉ）  異なる周波数を伴う新規チャネルバーストを受信する段階、
を含んでなる請求項１に記載の方法。
【請求項１４】
（Ｆ）は、
（ｉ）  異なるチャネル化コードを伴う前記新規チャネルバーストを受信する段階、
を含んでなる請求項１に記載の方法。
【請求項１５】
請求項１に記載の方法を実行するためのコンピュータ実行可能な命令を有するコンピュータ読取可能媒体。
【請求項１６】
請求項１０に記載の段階を実行するためのコンピュータ実行可能な命令を有するコンピュータ読取可能媒体。
【請求項１７】
前記無線システムが、デジタルブロードバンドブロードキャストエリアにサービスし、かつ前記データサービスがデジタルブロードバンドブロードキャストサービスに関連する請求項１に記載の方法。
【請求項１８】
前記選択された基地局についての位相シフトオフセットが、前記無線システムによって提供されない請求項１に記載の方法。
【請求項１９】
（Ｇ）  （Ｅ）に応答して、前記信号品質がハンドオーバを指示していないことを決定する段階と、
（Ｈ）  （Ｇ）に応答して、前記選択された候補セルに対する前記ハンドオーバをキャンセルする段階と、
をさらに含んでなる請求項１に記載の方法。
【請求項２０】
無線システムから複数のデータパケットを受信する無線端末であり、該無線システムが第１の基地局および第２の基地局を含む無線端末であって、
記憶バッファと、
タイミングモジュールと、
無線チャネル上で前記無線システムと通信する無線モジュールと、
現行の第１のチャネルバーストが伝送中であることの指示を前記タイミングモジュールから受信すると共に、前記現行の第１のチャネルバーストは、第１のデータパケットグループを収納し、該第１のデータパケットグループを前記記憶バッファ中に記憶するプロセッサであって、ここに
（Ａ）  無線チャネル上で前記第１の基地局から前記第１のチャネルバーストを受信する段階であって、該第１の基地局が前記第１のセルにサービスし、該第１のチャネルバーストがデータサービスをサポートする段階と、
（Ｂ）  前記第１のセルについての供用信号品質がハンドオーバ基準を満たすか否かを決定する段階と、
（Ｃ）  候補セルのリストに関連する測定を獲得する段階であって、該リストが少なくとも１つの候補セルを含み、各測定は、対応する候補セルによって提供される対応する信号品質を評価する段階と、
（Ｄ）  選択された信号品質が許容可能な場合、選択された候補セルに対する前記ハンドオーバの実行を決定する段階であって、該選択された候補セルが該リストのメンバーであり、前記選択された信号品質が、選択された該候補セルに対応する段階と、
（Ｅ）  （Ｄ）を実行した後、前記第１の基地局から最終チャネルバーストを受信する段階と、
（Ｆ）  （Ｅ）に応答して、前記選択された候補セルに対する前記ハンドオーバを実行し、選択された候補基地局から新規チャネルバーストを受信する段階であって、前記選択された候補基地局が、選択された候補セルにサービスする段階と、
を実行するように構成されているプロセッサと、
を含んでなる無線端末。
【請求項２１】
前記プロセッサが、
（Ｇ）  前記選択された信号品質をヒステリシス値により調整する段階、
を実行するように構成される請求項２０に記載の無線端末。
【請求項２２】
前記プロセッサが、
（Ｇ）  前記選択された候補セルについての位相シフトオフセットを決定する段階、
を実行するように構成されている請求項２０に記載の無線端末。
【請求項２３】
前記プロセッサが、
（Ｇ）  前記選択された候補セルについての位相シフトオフセットを決定する段階と、
（Ｈ）  （Ｅ）に応答して、（Ｆ）の実行段階まで前記無線チャネル上での受信を中断する段階と、
（Ｉ）  （Ｈ）に応答して、前記無線端末の電力消費を削減する段階と、
を実行するように構成されている請求項２０に記載の無線端末。
【請求項２４】
前記プロセッサが、
（Ｇ）  候補信号品質が許容不能である場合、前記候補リストから関連する候補を除去する段階と、
を実行するように構成されている請求項２０に記載の無線端末。
【請求項２５】
無線システムから複数のデータパケットを受信する無線端末であって、該無線システムが、第１の基地局および複数の候補基地局を含んでなり、該基地局が、対応するセルにサービスする無線端末において、
ハンドオーバ前に前記第１の基地局から複数のチャネルバーストを受信し、かつ選択された基地局から新規チャネルバーストを受信し、前記複数の候補基地局の内の１つに制御可能に同調する通信モジュールであって、前記複数のチャネルバーストおよび前記新規チャネルバーストが、無線チャネル上でデータサービスをサポートしている通信モジュールと、
前記通信モジュールから信号品質情報を獲得する測定モジュールであって、該信号品質情報が、前記第１の基地局および前記選択された基地局を指示し、該選択された基地局は複数の基地局のメンバーである測定モジュールと、
ハンドオーバ分析モジュールと、
が含まれ、
前記通信モジュールに対し前記複数の基地局の１つに同調するよう命令し、前記測定モジュールに対し、前記複数の基地局の１つに対応する信号品質情報を取得するよう命令し、
前記選択された候補基地局への前記ハンドオーバが必要であるか否かを決定するために前記信号品質情報を処理し、
前記通信モジュールに対し、前記ハンドオーバ分析モジュールが前記ハンドオーバの実行を決定した後に、前記第１の基地局から最終チャネルバーストを受信するように命令し、
前記通信モジュールに対して、前記選択された候補基地局に同調しかつ前記選択された候補基地局から前記新規チャネルバーストを受信するように命令する、
無線端末。
【請求項２６】
前記ハンドオーバ分析モジュールにより命令が与えられた場合に前記通信モジュールに対する電力を削減する電力制御モジュールであって、前記ハンドオーバ分析モジュールが、前記最終チャネルバーストと前記新規チャネルバーストとの間の時間間隔において命令を生成し、前記通信モジュールが、前記無線チャネル上での受信を中断する電力制御モジュール、
をさらに含んでなる請求項２５に記載の無線端末。
【請求項２７】
無線端末が、無線ブロードキャストシステム内で第１のセルからもう１つのセルへのハンドオーバを実行するための方法において、
（Ａ）  無線チャネル上で第１の基地局から第１のチャネルバーストを受信する段階であって、前記第１の基地局が前記第１のセルにサービスし、前記第１のチャネルバーストがマルチキャストサービスをサポートする段階と、
（Ｂ）  候補セルのリストを決定する段階であって、該リストが少なくとも１つの候補セルを含んでいる段階と、
（Ｃ）  前記第１のセルについての信号品質がハンドオーバ基準を満たすか否かを決定する段階と、
（Ｄ）  候補セルの前記リストに関連する測定を獲得する段階であって、各測定は、対応する候補セルによって提供される対応する信号品質を評価する段階と、
（Ｅ）  選択された信号品質を、ヒステリシス値によって調整する段階と、
（Ｆ）  候補信号品質が許容不能である場合、候補セルの前記リストから関連する候補を除去する段階と、
（Ｇ）  前記選択された信号品質が許容可能である場合、選択された候補セルに対する前記ハンドオーバの実行を決定する段階であって、該選択された候補セルが該リストのメンバーであり、前記選択された信号品質が、選択された候補セルに対応する段階と、
（Ｈ）  （Ｇ）を実行した後、前記第１の基地局から最終チャネルバーストを受信する段階と、
（I）  （Ｈ）に応答して、前記選択された候補セルに対する前記ハンドオーバを実行し、かつ選択された候補基地局から新規チャネルバーストを受信する段階であって、該選択された候補基地局は、選択された候補セルにサービスし、該新規チャネルバーストが前記マルチキャストサービスをサポートする段階と、
からなる方法。
【発明の詳細な説明】
【技術分野】
【０００１】
本発明は、オーディオデータ、ビデオデータ、制御データまたはその他の情報のバースト伝送、特に、無線端末内での中断の無いハンドオーバを提供するための装置および方法に関する
【背景技術】
【０００２】
ビデオストリーミング、データストリーミングおよびブロードバンドデジタルブロードキャストプログラミングは、例えば、インターネットプロトコル（ＩＰ）マルチキャストサービスといった無線ネットワークアプリケーションにおいてその評判が益々高まっている。これらの無線アプリケーションをサポートするために、無線ブロードキャストシステムは、多くの無線端末に対して同時にデータサービスをサポートするデータコンテンツを伝送する。無線ブロードキャストシステムは標準的に複数の基地局からなり、その中でデータコンテンツがサービスソースによりバックボーンネットワークを通して配信される。無線ブロードキャストシステムは標準的に単一指向性ネットワークであり、その中には利用可能なアップリンクチャネル（すなわち、無線端末からサービス中の基地局へ向かう）は存在しない可能性がある。従って、無線端末が無線ブロードキャストシステムからのデータサービスに係る喪失データパケットを要求することはできない可能性がある。無線ブロードキャストシステムが、異なるサービスエリア（セルとしても知られている）にサービス中の基地局を２つ以上有する場合、該基地局は、無線端末が１つの基地局の伝送可能エリアからもう１つの基地局のもう１つのサービスエリアへ移動にするときに、当該データパケットをシームレスに受信することができるようにデータサービスを伝送しなければならない。シームレスである結果として、無線端末は、１つの基地局からもう１つの基地局へのハンドオーバを実行するときに、全てのデータパケットを受信することになる。ハンドオーバを完了させるために、無線端末は、ハンドオーバ後にその無線端末にサービスすることになる新規セルを決定するために、隣接セルを測定することが必要となるかもしれない。その上、無線端末は、新規セルの伝送設定値と整合するように再同調しなければならない。さらに、従来技術では、無線端末は標準的に、新規セルにサービスする基地局が次の伝送バーストを伝送する前に、必要なハンドオーバ手順の全てを完了させなければならない。即座にその手順を完了できないと、無線端末は次の伝送バーストを見逃す可能性があり、サービス劣化を引き起こす。
【発明の開示】
【発明が解決しようとする課題】
【０００３】
必要なのは、多数の無線基地局からデータおよび情報を受信する無線端末に対する中断の無い情報およびデータフローを提供するためのシステムおよび方法である。
【課題を解決するための手段】
【０００４】
本発明の１つの態様では、各基地局が対応するセルにサービスする、１つの基地局からもう１つの基地局へのハンドオーバを実行しながら、該無線端末が無線システム内でチャネルバーストを受信するための方法および装置が提供される。チャネルバーストは、少なくとも１つのデータパケットからなり、少なくとも１つのデータサービスをサポートする。無線システムは、１つのサービスソースから複数のデータパケット受信するためにバックボーンネットワークに対してインタフェースする複数の基地局を含んでなる。無線端末は、現在サービス中の基地局における信号品質の測定に基づいてハンドオーバ基準が満たされている場合、ハンドオーバが必要となることを決定する。そのような場合、無線端末は、候補リスト中に維持されている候補セルについての測定を実行する。無線端末は、当該信号品質が現在サービス中の基地局に比べて十分優れている場合、（新規にサービスする基地局に対応する）候補セルの１つを選択する。ハンドオーバが必要であることが決定された後で、かつ新規にサービスする基地局へのハンドオーバが完了する前に、無線端末は、現在サービス中の基地局から最終チャネルバーストを受信する。
【０００５】
本発明の別の態様では、チャネルバーストは、デジタルビデオブロードキャスト仕様に従って、マルチプロトコルカプセル化を用いてフォーマットされる。該カプセル化は、インターネットプロトコル（ＩＰ）標準に適合するものであってよい。
【０００６】
本発明の別の態様では、無線システムのセルは、セルがその隣接セルと異なる時点でチャネルバーストを伝送することのできる、当該位相シフトオフセットを伴って構成され得る。ハンドオーバに係る選択されたセルの位相シフトオフセットを認識した場合、無線端末は、現在サービス中の基地局からの最終チャネルバーストの受信と新規にサービスする基地局からの第１のチャネルバーストの受信の間の処理を中断させることができる。
【発明を実施するための最良の形態】
【０００７】
本発明並びにその利点は、同じ参照番号が同様の特徴を示す添付図面を考慮しながら以下の説明を参照することによって、より完全に理解できるであろう。
【０００８】
以下の様々な実施形態の説明中においては、本発明の一部を形成し、かつ本発明を実施し得る様々な実施形態が一例として示されている添付図面を参照する。その他の実施形態を用いることも可能であり、本発明の範囲から逸脱することなく構造的および機能的修正を行うことも可能であるということを理解すべきである。
【０００９】
図１は、本発明の実施形態に従った無線端末１１５に対してデータサービスを配信するために基地局１０３および１０５にサービスソース１０１を相互接続するマルチキャストをバックボーンとするブロードキャストネットワーク１０７を示す。データサービスに対応するデータパケットが、基地局１０３および１０５により、それぞれ無線チャネル１１１および１１３上でアンテナ１１０および１１２を通して無線端末１１５に伝送される。無線端末１１５が複数の無線チャネルのうちの１つ（チャネル１１１または１１３のいずれか）のみ処理しているとしても、両方の基地局１０３および１０５は、図６および７に関連して後述するように、伝送が相互にずれる（オフセットする）同一のデータパケットをブロードキャストする。
【００１０】
図２は、本発明の１つの実施形態に従ったタイムスライス伝送を用いたインターネットプロトコル（ＩＰ）サービスの伝送を示す。基地局（例えば、基地局１０３）が、データストリーム２０１、２０３、２０５および２０７を用いて複数のＩＰサービスのためのデータパケットをブロードキャストする。（各データストリームには、データ転送レート容量の一部が割り当てられている。）本実施形態においては、基地局１０３が、標準的に基地中継局（ＢＴＳ）、基地局制御装置（ＢＳＣ）、ＢＴＳおよびＢＳＣの組合せ、並びに基地中継局の第三世代（３Ｇ）呼称であるノードＢが担っている機能をサポートしている。データ伝送は、ＩＰサービス用のデータパケットがデータストリームを通して連続的に搬送されていくように基本的に連続したものである。
【００１１】
データパケットの喪失を軽減するために、データストリーム２０１、２０３、２０５および２０７は、基地局１０３および１０５によってそれぞれチャネルバースト２０９、２１１、２１３および２１５内にマップされ、ここでチャネルバーストは、データストリーム２０１、２０３、２０５および２０７よりはむしろ無線チャネル１１１および１１３上で伝送される。各データストリーム（２０１、２０３、２０５および２０７）、ひいては各チャネルバースト（２０９、２１１、２１３および２１５）は、少なくとも１つのデータサービスをサポートする。かくして、各チャネルバーストは複数のデータサービス（例えば、関連するデータサービスグループ）をサポートする。
【００１２】
チャネルバースト２０９、２１１、２１３および２１５に伴うデータ転送レートは、標準的に、対応するデータパケット数をより短時間で送ることができるようにデータストリーム２０１、２０３、２０５および２０７に伴うデータ転送レートよりも高速である。本実施形態においては、データストリーム２０１、２０３、２０５および２０７は、およそ１００Ｋビット／秒の連続データ転送レートに対応する。チャネルバースト２０９、２１１、２１３および２１５は、およそ１秒の継続時間でおよそ４Ｍビット／秒に対応する。しかしながら、他の実施形態においては、データストリーム２０１〜２０７およびチャネルバースト２０９〜２１５についてそれぞれ異なるデータ転送レートを用いることが可能である。
【００１３】
無線端末１１５は、データパケットが伝送されている間にもう１つの基地局（例えば、基地局１０５）への転送を要求される場合がある。無線端末１１５がハンドオーバプロセス（例えば、新規中心周波数への同調）を完了するためにはある時間が必要であることから、ハンドオーバの間にチャネルバースト２０９、２１１、２１３および２１５が無線端末１１５に伝送された場合、無線端末１１５がデータパケットの幾つかを見逃す可能性があり、かくして受信中にギャップが発生することになる。データサービスのタイプに応じて、無線端末１１５のユーザはデータパケットの喪失を検知できる。
【００１４】
本実施形態においては、全データ転送レート容量は所与の時点でチャネルバーストに割り当てられる。図２に示されるように、チャネルバースト２０９、２１１、２１３および２１３は、時間的に交互配置される。アイドルタイムの継続（データパケットがデータサービスのために伝送されていない間）は、チャネルバースト（例えばチャネルバースト２０９）の連続伝送の間に発生する。無線ブロードキャストシステムは、無線端末１１５がハンドオーバを完了するためにもう１つの基地局へ転送する命令を受けることのできるアイドルタイムの継続時間を利用することができる。他の基地局（例えば、基地局１０５）は、以前に無線端末１１５にサービスしていた基地局（例えば基地局１０１）と同一のデータを、異なる中心周波数と異なる位相シフトオフセット量とを用いて、伝送することができる。
【００１５】
チャネルバーストは、標準的に、基地局によって周期的に伝送される。例えば、後続するチャネルバーストはチャネルバースト２０９のＴ秒後に発生する可能性があり、ここに１つのチャネルバーストがＴ秒毎に伝送される。無線端末１１５は、全地球測位システム（ＧＰＳ）と同様に、各チャネルバーストが発生する絶対時間を判定するために正確なタイミングを維持することができる。もう１つの実施形態においては、無線端末１１５に対し、後続するチャネルバーストについて無線端末１１５に通知すべく各チャネルバーストにおける時間周期に関する情報が提供される。この時間周期は、ＩＰパケット、マルチプロトコルカプセル化フレーム、その他のあらゆるパケットフレームおよび第三世代（３Ｇ）、汎用パケット無線サービス（ＧＰＲＳ）チャネルまたは変調データ、といった送信機パラメータシグナリングに含まれ得る。代替的には、無線端末１１５は、無線端末１１５が演繹的に知っているデータシーケンスである信号プリアンブルを受信することによって、チャネルバーストの出現を検出することができる。もう１つの実施形態においては、無線端末１１５は、基地局からのオーバーヘッドチャネル上でオーバーヘッドメッセージを受信することができる。このオーバーヘッドメッセージは、チャネルバースト出現に関するタイミング情報を含むことができる。例えば、本発明の１実施形態においては、基地局に伴う位相シフトオフセットは、オーバーヘッドメッセージ内に含むことができる。（位相シフトオフセット情報は、例えば、ＤＶＢ−Ｔシステムのためのネットワーク情報テーブル（ＮＩＴ：Network Information Table）のテーブルといったサービス情報（ＳＩ：Service Information）テーブル内に含むことができる。）オーバーヘッドチャネルは、チャネルバーストの伝送をサポートするダウンリンク無線チャネルと、論理的あるいは物理的に、全く異なるものでも良い。
【００１６】
チャネルバースト２０９、２１１、２１３および２１５は、欧州規格ＥＮ３０１１９７「デジタルビデオブロードキャスト（ＤＶＢ）、データブロードキャストのためのＤＶＢ仕様」の第７節に従い、マルチプロトコルカプセル化を用いてフォーマットされ得る。カプセル化は、インターネットプロトコル（ＩＰ）標準に適合するもので良い。
【００１７】
図３は、本発明の１つの実施形態に従った、２つの伝送中心周波数指示を伴う無線システム３００を示している。１つのセル（例えば、セル３０１、３０３、３０５および３０７）に対応する１つの基地局には、２つの異なる中心周波数値ＦｌおよびＦ２のうちの１つが割り当てられる。（中心周波数値は、基地局によって利用される周波数スペクトルの１つの中心周波数に対応する。）隣接セルに対して異なる中心周波数値を割り当てることにより、無線端末１１５上でのサービスしていないセルからの干渉が低減される。例えば、無線端末１１５が、セル３０１（基地局１０３に対応するもの）からセル３０３（基地局１０５に対応するもの）まで、移行する場合、無線端末１１５は中心周波数値Ｆｌから中心周波数値Ｆ２に再同調する。無線端末１１５がセル３０１又はセル３０３内にてサービスされている間に、無線端末１１５は、それぞれ基地局１０３又は基地局１０５により伝送されるチャネルバースト内に収容されているデータパケットを受信する。図３に示すような２つの中心周波数値のみの構成では、無線システムのトポロジー構成は、「行様」（row-like）の構成に制限される。
【００１８】
図４は、本発明の１つの実施形態に従った、３つの伝送中心周波数値を有する無線システム４００を示している。セル（例えば、セル４０１、４０３、４０５、４０７、４０９又は４１１）に対応する基地局には、３つの異なる中心周波数値Ｆｌ、Ｆ２およびＦ３のうちの１つが割り当てられる。無線端末１１５は、それが内部に位置づけられているセルに対応する基地局によって伝送されるチャネルバーストを通してデータパケットを受信する。中心周波数値が３つの場合、無線システムは、中心周波数値が２つしか割り当てられていない場合に比較してより複雑なトポロジー構成をとることができる。しかしながら、該無線システムに割り当てられる中心周波数値の数が増大するにつれて、無線システムに求められる周波数スペクトルも増大する。
【００１９】
無線システム３００および４００の伝送構成は、標準的に、無線システム３００又は４００から無線端末１１５に向かう（ダウンリンク又は順方向無線チャネル）データ転送レートが、無線端末１１５から無線システム３００又は４００に向かう（アップリンク又は逆方向無線チャネル）データ転送レートよりも標準的に大きいという点で、非対称である。
【００２０】
図１１および１２に関連して述べるように、無線システム３００又は４００は、アップリンク無線チャネル上で無線端末１１５から、測定された信号特性（例えば、信号強度、パケット誤り率およびビット誤り率）を受信することができる。この信号特性を用いて、無線システム３００又は４００は、無線端末１１５に対して、無線端末１１５が対応するセル内を移行するにつれて１つの基地局からもう１つの基地局へのハンドオーバを実行するように命令することができる。他の実施形態においては、無線端末１１５は、無線システム３００又は４００により命令されることなく、測定された信号特性に従ってハンドオーバを実行することができる。ある実施形態においては、無線システム３００又は４００は、アップリンクチャネルをサポートせず、無線端末１１５が無線システム３００又は４００に対するメッセージを送らない。
【００２１】
図３および４に示されている実施形態においては、無線システム３００および４００に伴う１組の中心周波数値の中から、中心周波数値がセル（例えば、３０１〜３０７および４０１〜４１１）に対して割り当てられる。隣接セルに対して異なる中心周波数値を割り当てることによって、無線端末１１５は、この無線端末１１５が位置づけられているセルに対応する基地局（例えば、１０３又は１０５）から伝送される信号を、他の基地局から伝送される信号から区別することができる。（このような割り当てアプローチを、周波数分割多元接続（ＦＤＭＡ）と呼ぶ。）しかしながら、他の実施形態によれば、拡散スペクトル技術（例えば、符号分割多元接続（ＣＤＭＡ））で利用されるチャネル化（channelization）コード（例えば、ウォルシュ符号）といった代替的アプローチによる直交分割を用いる。このような場合、広帯域信号は、無線システム内の全てのセルに割り当てられる単一周波数を中心とし、ここに、対応する各基地局は同一の周波数スペクトルを利用する。隣接セルには、サービスしていない基地局から無線端末１１５に及ぼされる干渉を低減するため、異なるチャネル化コードが割り当てられる。無線端末１１５は、これにサービス中の基地局に割り当てられた適切なチャネル化コードを用いて受信信号を処理することができる。
【００２２】
図５は、本発明の１つの実施形態に従った理想的なシナリオにおける、タイムスライス伝送を利用した無線システムを示す。セル５０１からのチャネルバーストは、セル５０３からのチャネルバーストと同期している（例えば、チャネルバースト５０７はチャネルバースト５１３と基本的に同時に発生し、チャネルバースト５０９はチャネルバースト５１５と基本的に同時に発生する）。セル５０１および５０３にてサービスする対応の基地局には、パケット配信が同期するようなバックボーンネットワーク１０７を通して、パケットストリーム５０５が提供される。（この実施形態においては、全ての基地局からのチャネルバーストが同時に発生するために、各基地局からのチャネルバースト伝送に伴う位相遅れ量はゼロになる。）このシナリオでは、図５に示されているように、無線端末１１５がセル５０１から５０３にハンドオーバされた場合、無線端末１１５は全てのパケットを受信することになる。例えば、無線端末１１５が（セル５０１からセル５０３へのハンドオーバの結果として）チャネルバースト５０７およびチャネルバースト５１５を受信する場合、無線端末１１５は、パケット番号１、２、３、４、５および６を受信する。
【００２３】
図６は、本発明の実施形態に従った、（３つの中心周波数値に対応する）図４に示される無線システム４００における基地局１０３および１０５からのチャネルバーストのタイミングを示す（本発明の他の実施形態においては、中心周波数値Ｆ３は、図４に示されているように、異なるセルにおいて異なっている可能性があるものの、同一の位相シフトオフセットに対応する。）各チャネルバーストは１つのデータサービスグループをサポートできる。各データサービスグループには、少なくとも１つのデータサービスが含まれる。事象６０１〜６１３は、基地局１０３（セル４０１内に位置づけられる場合に無線端末１１５にサービスするもの）が、チャネルバースト（例えば、チャネルバースト２０９）を開始させる時点を表わしている。基地局１０３は、Ｔ秒毎に周期的にチャネルバーストを伝送する（Ｔ秒の時間間隔は３６０度に相当）。事象６５３〜６６３は、基地局１０５（セル４０３内に位置づけられる場合に、無線端末１１５にサービスするもの）が、チャネルバーストを開始させる時点を表わしている。基地局１０５は、Ｔ秒毎に周期的にチャネルバーストを伝送する。しかしながら、事象６５３〜６６３は、１／３Ｔ秒（１２０度に相当する）だけオフセットされている。セル４０５（図６には図示せず）では、ここでの位相シフトオフセット量は２４０度（セル４０１に対して２／３Ｔの時間オフセットに相当）である。一般に、１つのセルに伴う位相シフトオフセットの量（度単位）は、（３６０／Ｎ）＊ｉの形をとり、ここにＮは無線システム内の中心周波数の数値であり、ｉは、整数である。また、チャネルバーストの継続時間はＴ／３秒を超えてはならない。そうしないと隣接セル間のチャネルバーストがオーバーラップして、ハンドオーバが発生したときに、無線端末１１５にパケットを喪失させる可能性がある。
【００２４】
図７は、本発明の１つの実施形態に従った、図４に示す無線システム４００における複数のデータサービス用基地局１０３からのチャネルバーストのタイミングを示している。各チャネルバーストは、１グループのデータサービスをサポートすることができる。各データサービスグループには、少なくとも１つのデータサービスが含まれている。本実施形態では、基地局４０１は、第１のデータサービスグループをサポートするチャネルバースト間のチャネルバーストをインタレースすることによって、第２のデータサービスグループをサポートする。図７においては、基地局４０１は、チャネルバースト７０１〜７１３を伴う第１のデータサービスグループと、チャネルバースト７５１〜７６３を伴う第２のデータサービスグループとをサポートする。しかしながら、チャネルバースト７５１〜７６３はチャネルバースト７０１〜７１３に対して１／６Ｔ秒（６０度に相当）だけオフセットしている。このようなケースでは、チャネルバーストの継続時間はＴ／６秒を超過してはならない。そうしないとチャネルバーストがオーバーラップして、複数のデータサービスによってサービスされた場合又はハンドオーバが発生した場合に、無線端末１１５にパケットを喪失させる可能性がある。
【００２５】
表１は、図４に示される無線システムにおける位相シフトオフセットの割り当てに関する要約である。サービスグループＸおよびサービスグループＹは、各々少なくとも１つのデータサービスを伴っている。図６および図７に示すように、本実施形態では、ある量の位相シフトオフセットをチャネルバーストに伴わせるために均等分布が用いられているが、チャネルバーストの継続時間が、当該データサービスに依存するような場合には、位相シフトオフセットの量を調整することができる。あるデータサービスにおいては、より大きなデータ帯域幅が求められ、その結果当該データをブロードキャストするために他のデータサービスの場合よりも長い継続時間が求められる場合がある。
【００２６】
【表１】
2007529939.tif 000003
【００２７】
サービス中の基地局（例えば、基地局１０３又は１０５）は、チャネルバースト内に情報を挿入することによって、それ自身についてのみならず隣接セルにてサービスする基地局についてもその位相シフトオフセット情報を伝送することができる。さらに、後続するチャネルバーストに関するタイミング情報も含むことができる。別の実施形態においては、サービス中の基地局は、チャネルバーストを収容するダウンリンクチャネルとは、論理的又は物理的に、全く異なる個別のオーバーヘッドチャネル上で位相シフトオフセット情報を送ることができる。また別の実施形態においては、無線端末１１５は、異なる基地局についての位相シフトオフセットの量をマッピングするルックアップテーブルを保持することができる。このようなケースでは、無線端末１１５は、ある基地局からの信号を受信したい場合、当該位相シフトオフセット量を決定するために該テーブルにアクセスする。
【００２８】
図８は、従来技術による、チャネルバースト相互が基地局間で同期しているハンドオーバのタイミング８００を示している。シーケンス８０１（チャネルバースト８０５〜８１１を含む）はハンドオーバ前にサービス中の基地局によって伝送され、シーケンス８０３（チャネルバースト８１３〜８１９を含む）はハンドオーバ後に新規にサービスする基地局によって伝送される。シーケンス８０１およびシーケンス８０３は同期しており、ここに、チャネルバーストはサービス中の基地局および新規にサービスする基地局により基本的に同時に伝送される。ハンドオーバ前に、無線端末が（所望のデータサービスに対応する）チャネルバースト８０５を受信する。時間間隔８５０において、無線端末は、隣接セルに伴う信号品質を決定することにより、ハンドオーバを実行すべきか否かを決定する。無線端末がハンドオーバの実行を決定した場合、該無線端末は時間間隔８５０においてハンドオーバ（例えば、新規周波数又は符号分割シーケンスに同調する）を実行する。ハンドオーバ後、該無線端末は、新規にサービスする基地局により伝送されるチャネルバースト８１５で始まるシーケンス８０３を受信する。しかしながら、無線端末が、チャネルバースト８１５の伝送以前にハンドオーバを完了しない場合、該無線端末は、該サービスのための次のチャネルバーストを見逃すことになり、サービス劣化を引き起こすことになる。無線端末がハンドオーバを実行しないことを決定した場合、該無線端末はシーケンス８０１を受信し続ける。
【００２９】
図９は、従来技術による、位相シフトオフセットとチャネルバーストとが同期しているハンドオーバのタイミング９００を示している。この実施形態では、タイミング９００は図６のタイミングに対応し、ここに、シーケンス９０１は、１８０度だけシーケンス９０３からオフセットしている。（チャネルバースト９０５〜９１１を含む）シーケンス９０１は、ハンドオーバ前にサービス中の基地局により伝送され、（チャネルバースト９１３〜９１９を含む）シーケンス９０３は、ハンドオーバ後に新規にサービスする基地局により伝送される。シーケンス９０１およびシーケンス９０３はオフセットしており、ここに、シーケンス９０３のチャネルバーストは、基本的にシーケンス９０１のチャネルバースト相互間の中間にある時点で伝送される。ハンドオーバ前に、無線端末は（所望のデータサービスに対応する）チャネルバースト９０５を受信する。無線端末は、時間間隔９５０において、隣接セルにおける信号品質を決定することによってハンドオーバを実行するか否かを決定する。無線端末がハンドオーバの実行を決定した場合、該無線端末は、時間間隔９５０においてハンドオーバを実行する（例えば、新規周波数又は符号分割シーケンスに同調する）。（標準的に、時間間隔９５０は、セル相互間の位相シフトオフセットの結果もたらされる、時間間隔８５０よりも小さい。）ハンドオーバ後、無線端末は、新規にサービスする基地局により伝送されるチャネルバースト９１５で始まるシーケンス９０３を受信する。しかしながら、チャネルバースト９１５の伝送以前にハンドオーバを完了しない場合、無線端末は、該サービスのための次のチャネルバーストを見逃すことになり、サービス劣化を発生させることになる。無線端末がハンドオーバを実行しないことを決定した場合、該無線端末はシーケンス９０１を受信し続ける。
【００３０】
図１０は、本発明の１つの実施形態に従った、ハンドオーバのタイミング１０００を示している。図１０に示す実施形態では、シーケンス１００１は、１８０度だけシーケンス１００３からオフセットしている。しかしながら、本発明は、位相シフトオフセットが１８０度以外のとき、あるいは位相シフトオフセットが無くてもよいような他の実施形態もサポートしている。（チャネルバースト１００５〜１０１１を含む）シーケンス１００１は、ハンドオーバ前にサービス中のセルによって伝送され、（チャネルバースト１０１３〜１０１９を含む）シーケンス１００３は、ハンドオーバ後に新規にサービスするセルによって伝送される。シーケンス１００１とシーケンス１００３とはオフセットしており、ここに、シーケンス１００３のチャネルバーストは、基本的にシーケンス１００１のチャネルバースト相互間の中間にある時点で伝送される。ハンドオーバ前に、無線端末は（所望のデータサービスに対応する）チャネルバースト１００５を受信する。無線端末は、チャネルバースト１００５に伴う信号品質を測定し、ハンドオーバ基準を用いてハンドオーバが正当であるか否かを決定する。図１１および１２でより詳細に述べるように、無線端末は、時間間隔１０５１において、隣接セルについての信号品質を決定することによりハンドオーバを実行すべきか否かを決定する。無線端末がハンドオーバの実行を決定した場合、無線端末はチャネルバースト１００７を受信するタイミングを待つ。次に無線端末は、時間間隔１０５３においてハンドオーバを実行する。ハンドオーバ後、無線端末は、新規にサービスする基地局により伝送されるチャネルバースト１０１７から、始めてシーケンス１００３を受信する。無線端末がハンドオーバを実行しないことを決定した場合、無線端末はシーケンス１００１を受信し続ける。
【００３１】
本実施形態においては、候補リスト（図１０には図示せず）に含まれている全ての隣接セルの信号品質の測定を、時間間隔１０５１において完了しなかった場合、無線端末は、チャネルバースト１００７を受信するためにその測定を中断することができる。そして次に無線端末は、新規にサービスするセルを決定するためのその測定を完了することができる。このような場合には、無線端末は、ハンドオーバを実行する前に、チャネルバースト１００９を受信するまで待つことになる。
【００３２】
図１１は、本発明の１実施形態に従った、ハンドオーバをサポートする無線端末についてのフローチャート１１００を示している。ステップ１１０１において、無線端末１１５は（セル４０３に対応）サービス中の基地局１０３からチャネルバーストを受信する。ステップ１１０３で、無線端末１１５は、より良い信号品質を提供することのできる別のセルへのハンドオーバが正当化されるほど十分に信号品質が低いかどうか決定する。そうでない場合、無線端末１１５は基地局１０３からチャネルバーストを受信し続ける。
【００３３】
ステップ１１０３によって決定されるとおり、ハンドオーバが正当化される場合、無線端末はステップ１１０５で隣接セルの信号品質を測定し、ステップ１１０７で最良の信号品質を有する候補セルを選択する。ステップ１１０９において、無線端末１１５は、ハンドオーバ数を削減するためにヒステリシス値を付加し、これによって測定された候補セルの信号品質を調整する。ステップ１１１１で、無線端末１１５が、選択された候補セルに対するセルハンドオーバを実行すべきか否かを決定する。すべきでない場合、無線端末１１５は基地局１０３からチャネルバーストを受信し続ける。ステップ１１１１でハンドオーバが正当化である場合、無線端末１１５は、ステップ１１１３で基地局１０３から最終チャネルバーストを受信し、かつステップ１１１５で、選択された候補セル（例えば、セル４０３又は４０５）における新規周波数に同調する。
【００３４】
図１２は、フローチャート１１００に従ってハンドオーバが必要であるか否かを決定するための、無線端末１１５についてのフローチャート１２００を示している。ステップ１２０１で無線端末１１５を初期化した後、無線端末１１５は、後のステップ１２０３で所望のデータサービスを提供するセル（例えば、図４のセル４０１）に隣接するＬセル（例えば、図４に示されているセル４０３および４０５）についての’Ｌ’個の代替の中心周波数値のリストを編集する。（例えば、ＴＰＳビットｃｅｌｌ＿ｉｄ情報およびＮＩＴ  ＳＩテーブルｃｅｌｌ＿ｉｄ情報を用いて、隣接セル情報を決定することができる。）本実施例において、該リストは、セル４０３および４０５についてのブロードキャスト周波数が含まれよう。代替の中心周波数値は、セル４０１にてサービス中の基地局（例えば基地局１０３）によってブロードキャストされるチャネルバーストにて提供され得る。（ＤＶＢ−Ｈをサポートする本発明の１つの実施形態においては、送信機は、連続的にデータを伝送する。本実施形態においては、タイムスライスバーストを、ＰＩＤ値によって相互に分離された論理バーストとみなすことができる。バーストは、「オフ」周期中、特定の基本ストリームについてデータがないことを保証できるように規定される。バーストは、「オン」周期中に伝送されるが、正確な伝送時間は、本実施形態では規定されない。）例えば、チャネルバースト２０９は、同一のデータサービスを提供する隣接セルの中心周波数値のリストを含み得る。さらに、前述したとおり、位相シフトオフセット情報も含まれ得る。（データサービスが隣接セルにて提供されていない場合、無線端末１１５は、該データサービスを提供しているセルによるサービスを受け続けるよう命令されることができる。他の実施形態では、無線端末１１５は、該サービスをいずれかの隣接セルに移すように要求することができる。このような場合、ネットワークは要求されたサービスを移すべきか否かを決定する。）
【００３５】
サービス中の基地局１０３の信号データは、ステップ１２０５において無線端末１１５内で誘導される。これらのデータには、無線セル４０１内の基地局１０３によって使用されている、ここでは原中心周波数と称される信号周波数についての受信信号強度指標（ＲＳＳＩ）値、パケット誤り率（ＰＥＲ）、およびビット誤り率（ＢＥＲ）値が含まれている。予め定められたハンドオーバ基準が満たされた場合、ハンドオーバが考慮されるかあるいは開始される。１つの実施形態においては、該ハンドオーバ基準は原周波数ＢＥＲが予め定められた限界を超えた場合、又代替的には、原周波数ＲＳＳＩが予め規定された値を下回った場合に満たされる。（本発明の他の実施形態では、ハンドオーバを実行すべきか否かを決定するために別の基準（測定されたもの又は導出したものであり得る）を使用することができる）。決定ブロック１２０７の決定によるように、ハンドオーバ基準が満たされていない場合、無線端末１１５は原周波数ＲＳＳＩおよびＢＥＲ値を監視し続ける。
【００３６】
（ステップ１２０７で決定されるように）ハンドオーバ基準が満たされた場合、そして新規セルがステップ１２０９で既に決定済みである場合には、無線端末１１５はステップ１２１１でハンドオーバを完了すべく新規セルに同調する。
【００３７】
一方、ハンドオーバ基準が満たされた場合で新規セルが未決定の場合には、ステップ１２１３は、割り込みフラグがステップ１２３５で既に設定済みであるか否か決定する。該割り込みフラグが未設定の場合、無線端末１１５は、ステップ１２１５で同一のサービスを提供する’Ｌ’個の隣接セル伝送信号についてのＲＳＳＩ値を測定するか又は決定する。隣接セル伝送信号についての’Ｌ’個のＲＳＳＩ値は、ハンドオーバ基準が満たされた後に獲得された読取り値であり、そうでなければＲＳＳＩ値は、選択された時間全体にわたり得られかつ平均化されそして無線端末１１５内に保持された値であり得る。ハンドオーバについての候補信号周波数の選択は、’Ｌ’個の隣接セル伝送信号周波数について得られたＲＳＳＩ値の関数である。
【００３８】
最強のＲＳＳＩ値を有する’Ｎ’個の隣接セル周波数は、’Ｎ’個の候補周波数と称され、ここにＮ<＝Ｌである。好ましい実施形態では、３<＝Ｎ<＝５である。ステップ１２１５で’Ｎ’個の候補周波数および原周波数を含む（Ｎ＋ｌ）ＲＳＳＩ周波数値のリストが形成される。一変形実施形態においては、原周波数についてのＲＳＳＩ値は、オプションステップ１２１７で原周波数から候補周波数への頻繁な又は不必要なハンドオーバの尤度を減少させるために予め決められたヒステリシス値、例えば５ｄＢだけ増大させられる。最大のＲＳＳＩ値を有する候補周波数は、ステップ１２１９で該リストから選択され、かつこの現行の候補周波数についてのＢＥＲ値は、ステップ１２２１で測定される。
【００３９】
現行の候補周波数ＢＥＲ値が、決定ブロック１２２３によって決定されるように、許容できないものである場合、現行の候補周波数はステップ１２２７でリストから除去される。追加の候補周波数が、決定ブロック１２２９により決定されるように、リスト中に残っている場合そしてステップ１２３１がサービス中の基地局１０３からの次のチャネルバーストまで十分な時間が残っていることを決定した場合、最大のＲＳＳＩ値を有する次の候補周波数値は、ステップ１２１９で現行の候補周波数と称される。プロセスは上述のものと同様ステップ１２２１に進む。（フェーディング、ノイズ又は干渉のために、最大ＲＳＳＩに対応するセルが、最小のＢＥＲ又はＰＥＲを伴うセルに対応しない可能性がある。）。決定ブロック１２２９でいかなる候補周波数値もリスト中に残っていない場合、無線端末１１５は、ステップ１２３３で情報の受信に原周波数を使い続け、動作はステップ１２０５へと続く。ステップ１２３１が、もう１つの測定を実行するのには十分な時間が無いとの決定を下した場合には、割り込みフラグがステップ１２３５で設定され、無線端末１１５はステップ１２０５でサービス中の基地局１０３からチャネルバーストを受信するために、ステップ１２３３において原周波数を使い続ける。
【００４０】
決定ブロック１２２３において現行の候補周波数ＢＥＲ値が許容可能なものである場合、無線端末１１５はステップ１２２５で割り込みフラグを再設定し、見付けたセルを新規セルとして設定する。動作はステップ１２０３に戻る。１実施形態では、ＱＥＦ限界は、デジタルビデオブロードキャスト受信機でのビタビ（Viterbi）復号後のおよそ２×１０-4のＢＥＲ値に相当する。当業者であれば十分認識できるように、デジタルビデオブロードキャスト受信機で使用されている誤り訂正チェーンには、ビタビ復号器段およびリードソロモン復号器段を含むことができる。
【００４１】
図１３は、本発明の１つの実施形態に従った、位相シフトされたタイムスライス伝送をサポートする無線端末１１５のための装置１３００を示している。装置１３００には、プロセッサ１３０１、無線モジュール１３０５、メモリ１３０７およびタイミングモジュール１３０９が含まれる。タイミングモジュール１３０９は、チャネルバーストを受信するための適切な時間を決定する。本実施形態においては、タイミングモジュール１３０９は、水晶発振器を含み、増分タイミング情報が提供される先行チャネルバースト内の情報を受信する。タイミングモジュール１３０９は、次のチャネルバーストの時間を決定するために該増分タイミング情報を用い、プロセッサ１３０１に通知する。（本実施形態の１変形形態においては、無線モジュール１３０５はＧＰＳ受信機を含み、タイミングモジュール１３０９に時間同期を提供できる。）装置１３００は、無線チャネル１１１上で、無線モジュール１３０５を介しデータパケットグループを受信する。プロセッサ１３０１は、データパケットを処理し、データパケットグループが受信されてしまうまでそれらをメモリ（バッファ記憶装置）１３０７内に格納する。プロセッサ１３０１は、当該データサービスに従ってデータパケットグループを処理する。
【００４２】
図１４は、本発明の１つの実施形態に従った、ハンドオーバをサポートする無線端末１１５のための装置１４００を示している。本装置は、通信モジュール１４０１、測定モジュール１４０３、ハンドオーバ分析モジュール１４０５を含み、任意には電力制御モジュール１４０７を含む。
【００４３】
ハンドオーバ前に無線端末１１５は、通信モジュール１４０１を通して、基地局１０３に係る周波数に対応する無線チャネル１１１上で（セル４０３に係る）基地局１０３からのチャネルバーストを受信する。測定モジュール１４０３は、無線チャネル１１１についての信号品質の測定を、ハンドオーバ分析モジュール１４０５に提供する。ハンドオーバ基準が満たされる程度に十分信号品質が低い場合、ハンドオーバ分析モジュールは、通信制御インタフェース１４５１を介して、サービス中の供用基地局１０３によって伝送されるチャネルバースト間で候補セルの無線チャネルに同調するよう通信モジュールに命令し、かつ、測定制御インタフェース１４５３を介して、その信号品質を測定するように測定モジュール１４０５に命令する。本実施形態においては、ハンドオーバ分析モジュールが候補リストを維持する。ハンドオーバ分析モジュール１４０５が、フローチャート１２００に従ってハンドオーバを実行すべきであると決定した場合、ハンドオーバ分析モジュール１４０５は、通信制御部を介して、無線端末１１５が、サービス中の基地局１０３から最終チャネルバーストを受信した後に無線チャネル１１３上の選択された候補基地局に再同調するよう、通信モジュール１４０１に命令する。
【００４４】
無線端末１４００が、選択された候補セルのタイミングに関連する情報（例えば、位相シフトオフセット）を得た場合、ハンドオーバ分析モジュール１４０５は、通信モジュールに１４０１に命令を与えることによって無線チャネル１１３上での受信を中断することができ、さらに、電力制御インタフェース１４５５を介して、サービス中の基地局１０３が最終チャネルバースト伝送した時点と選択された候補基地局が新規チャネルバーストを伝送した時点との間の時間通信モジュール１４０１に対する電力を削減するよう電力制御モジュール１４０７に命令することができる。さらに、本実施形態において、電力制御モジュールは、他のモジュール、例えば、測定モジュール１４０３に対する電力を削減するようにハンドオーバ分析モジュールからの命令を受けることもできる。
【００４５】
当業者であれば十分に認識し得るとおり、本明細書中で開示されている実施例を実施するためには、コンピュータシステムを制御するための命令を含む付属のコンピュータ読取可能媒体を伴うコンピュータシステムを利用することが可能である。該コンピュータシステムには、マイクロプロセッサといった少なくとも１つのコンピュータ、デジタル信号プロセッサ、および関連の周辺電子回路が含まれる。
【００４６】
本発明を実施するための好適な方法を含めた特定の例に関連して本発明を記述してきたが、当業者であれば、添付のクレーム中で説明されている通り、本発明の精神および範囲内に入る、上述のシステムおよび技術の種々の変形態様および置換が存在することを認識するであろう。
【図面の簡単な説明】
【００４７】
【図１】は、本発明の実施形態による、データサービスを配信するためにサービスソースを基地局に相互接続するマルチキャストをバックボーンとするブロードキャストネットワークの例を概略的に示す図である。
【図２】本発明の実施形態に従ってタイムスライス伝送を用いるインターネットプロトコル（ＩＰ）サービスの伝送を示す図である。
【図３】本発明の実施形態に従った、２つの伝送中心周波数値を伴う無線システムを、概略的にかつ簡略化して示す図である。
【図４】本発明の実施形態に従った、３つの伝送中心周波数値を伴う無線システムを、概略的かつ簡略化して示す図である。
【図５】本発明の実施形態に従った、理想的なシナリオでタイムスライス伝送を利用する無線システムを示す図である。
【図６】本発明の実施形態に従った、複数の基地局からのチャネルバーストを示すタイミング図である。
【図７】本発明の実施形態に従った、複数のデータサービスのための基地局からのチャネルバーストを示すタイミング図である。
【図８】従来技術による、基地局間でチャネルバーストが同期しているハンドオーバのタイミング図である。
【図９】従来技術による、チャネルバーストが位相シフトオフセットと同期しているハンドオーバのタイミング図である。
【図１０】本発明の実施形態に従った、ハンドオーバのタイミング図である。
【図１１】本発明の実施形態に従った、ハンドオーバをサポートする無線端末のフローチャートである。
【図１２】図１１のフローチャートにおける、ハンドオーバのフローチャートである。
【図１３】本発明の実施形態に従った、ハンドオーバをサポートする無線端末のための装置を示す図である。
【図１４】本発明の実施形態に従った、ハンドオーバをサポートする無線端末のための第２の装置を示す図である。
【図１】
2007529939.tif 000004
【図２】
2007529939.tif 000005
【図３】
2007529939.tif 000006
【図４】
2007529939.tif 000007
【図５】
2007529939.tif 000008
【図６】
2007529939.tif 000009
【図７】
2007529939.tif 000010
【図８】
2007529939.tif 000011
【図９】
2007529939.tif 000012
【図１０】
2007529939.tif 000013
【図１１】
2007529939.tif 000014
【図１２】
2007529939.tif 000015
【図１３】
2007529939.tif 000016
【図１４】
2007529939.tif 000017
【手続補正書】
【提出日】平成19年1月24日(2007.1.24)
【手続補正１】
【補正対象書類名】特許請求の範囲
【補正対象項目名】請求項２０
【補正方法】変更
【補正の内容】
【請求項２０】
無線システムから複数のデータパケットを受信する無線端末であり、該無線システムが第１の基地局および第２の基地局を含む無線端末であって、
記憶バッファと、
タイミングモジュールと、
無線チャネル上で前記無線システムと通信する無線モジュールと、
現行の第１のチャネルバーストが伝送中であることの指示を前記タイミングモジュールから受信すると共に、前記現行の第１のチャネルバーストは、第１のデータパケットグループを収納し、該第１のデータパケットグループを前記記憶バッファ中に記憶するプロセッサであって、ここに
（Ａ）  無線チャネル上で前記第１の基地局から前記第１のチャネルバーストを受信する段階であって、該第１の基地局が前記第１のセルにサービスし、該第１のチャネルバーストがデータサービスをサポートする段階と、
（Ｂ）  前記第１のセルについての信号品質がハンドオーバ基準を満たすか否かを決定する段階と、
（Ｃ）  候補セルのリストに関連する測定を獲得する段階であって、該リストが少なくとも１つの候補セルを含み、各測定は、対応する候補セルによって提供される対応する信号品質を評価する段階と、
（Ｄ）  選択された信号品質が許容可能な場合、選択された候補セルに対する前記ハンドオーバの実行を決定する段階であって、該選択された候補セルが該リストのメンバーであり、前記選択された信号品質が、選択された該候補セルに対応する段階と、
（Ｅ）  （Ｄ）を実行した後、前記第１の基地局から最終チャネルバーストを受信する段階と、
（Ｆ）  （Ｅ）に応答して、前記選択された候補セルに対する前記ハンドオーバを実行し、選択された候補基地局から新規チャネルバーストを受信する段階であって、前記選択された候補基地局が、選択された候補セルにサービスする段階と、
を実行するように構成されているプロセッサと、
を含んでなる無線端末。
【国際調査報告】
2007529939.tif 000018
2007529939.tif 000019